(57)【要約】【課題】地震等の揺れに対して安全性が高く、しかも、インチ数やメーカーによって異なるテレビの横幅サイズ（大きさ）等を問わずに壁掛け設置を可能にする。【解決手段】ベース金具１と吊持金具２とで構成され、ベース金具１は、テレビＢの横幅寸法に相当する大きさで上辺縁部側に、壁面Ｃから略平行に離間して前方に向けて折り曲げられ尚且つ上向き状に折り曲げられた支持部３を備えると共にこの支持部３から下辺縁部に連なる壁取付部４を壁面Ｃにネジ止め等によって取り付けるようにしている。そして、吊持金具２は、ベース金具１に相当する程度で上辺縁部側に、支持部３に係脱自在に引っ掛けるように下向きに折り曲げられた掛止部５を備えると共にこの掛止部５から下辺縁部に連なるＴＶ取付部６にテレビＢをネジ止め等によって取り付けることで、テレビＢを壁面cに壁掛け設置し得るようにしている。【選択図】図２
0003110700.tif 000002
【実用新案登録請求の範囲】
【請求項１】
壁面（Ｃ）に取り付けられる板状ベース金具（１）と、テレビ（Ｂ）の背面に取り付けられて前記ベース金具（１）に係脱自在に吊持される板状吊持金具（２）とで構成され、
上記ベース金具（１）は、少なくともテレビ（Ｂ）の横幅寸法よりも小さめに形成され、その上辺縁部側に壁面（Ｃ）から略平行に離間するように前方に向けて突出され尚且つ上向き状に折り曲げられた支持部（３）を備え、この支持部（３）から下辺縁部に連なる平板部を壁取付部（４）としてなり、
上記吊持金具（２）は、上記ベース金具（１）に相当する程度の大きさ又はそれよりも小さめに形成され、その上辺縁部側に上記支持部（３）に引っ掛けるように下向き状に折り曲げられた掛止部（５）を備え、この掛止部（５）から下辺縁部に連なる平板部をＴＶ取付部（６）としてなることを特徴とする薄型テレビの壁掛け装置。
【請求項２】
請求項１記載の支持部（３）と掛止部（５）との両者間又は掛止部（５）側のみに、支持部（３）に対する掛止部（５）の掛止形態を可変するための可変手段（７）を備え、この可変手段（７）によってテレビ（Ｂ）の指向方向の傾角を適宜調節し得るようにしたことを特徴とする薄型テレビの壁掛け装置。
【考案の詳細な説明】
【技術分野】
【０００１】
本考案は、薄型のプラズマディスプレイ（Ｐｌａｓｍａ  Ｄｉｓｐｌａｙ  Ｐａｎｅｌ；ＰＤＰ）や液晶ディスプレイ（Ｌｉｑｕｉｄ  Ｃｒｙｓｔａｌ  Ｄｉｓｐｌａｙ；ＬＣＤ）等の薄型テレビを壁面に取り付けるために使用される壁掛け装置に関する。
【背景技術】
【０００２】
近年、ＰＤＰやＬＣＤ等の薄型テレビが広く普及しつつあるが、マンションや一戸建て住宅等の日本の住宅事情を見ると、昔に比べて部屋の床面スペースが狭いために、専用台を用いたテレビの床への設置は狭い床面スペースをより狭くする傾向にある。
【０００３】
そこで、普及しつつある薄型テレビの平面形態（平坦形状）で軽量である点等の特徴を生かしてリビング・ダイニングルーム等の壁面に取り付けるための種々の壁掛け装置が開発されている（例えば特許文献１参照）。
【０００４】
ところで、近年のライフスタイルの多様化等を考慮すると、個人でソファにくつろぐ、或いは数人でデーブルを囲む等の生活シーン毎に異なっているものである。加えて、テレビ自体の重量は勿論として、地震等による揺れ等に対する壁掛け姿勢を保持できるように配慮する必要がある。
【０００５】
しかし乍ら、従来装置によるテレビの壁掛け姿勢の傾角変更とその保持は、壁面に取り付けられる板状固定ベースの下部パイプに対するテレビ下部の軸支と、この軸支部を支点に傾け可変自在（傾角調節自在）に支持する鎖等からなる紐状部材を張り渡しによるものである。つまり、額縁等を壁面等に取り付ける際に一般的に用いられている壁掛け構造に近いものであることから、必ずしも地震等の揺れに対して安全とは言えないものとなっていた。
【特許文献１】特開平１０−１７４０２１号公報
【考案の開示】
【考案が解決しようとする課題】
【０００６】
本考案が解決しようとする課題は、地震等の揺れに対して安全性が高く、しかも、薄型テレビのメーカーやサイズ（大きさ）等を問わずに壁掛け設置することができる壁掛け装置を提供することにある。
また、他の課題としては、多様なライフスタイルに合わせた傾角（指向方向）を考慮した上で壁掛け設置することができる薄型テレビの壁掛け装置を提供することにある。
【課題を解決するための手段】
【０００７】
上記課題を解決するために本考案は、請求項１では、壁面に取り付けられる板状ベース金具と、テレビの背面に取り付けられて前記ベース金具に係脱自在に掛止される板状吊持金具とで構成され、
上記ベース金具は、少なくともテレビの横幅寸法よりも小さめの正面視略矩形形状に形成され、その上辺縁部側に壁面から略平行に離間するように前方に向けて折り曲げ突出され尚且つ上向き状に折り曲げられた断面略クランク形状の支持部を備えると共に、この支持部から下辺縁部に連なる平板部を壁取付部と成し、この壁取付部にネジ止め孔を備え、
上記吊持金具は、上記ベース金具に相当する程度の大きさ又はそれよりも小さめの正面視略矩形形状に形成され、その上辺縁部側に上記支持部に引っ掛けるように下向きに折り曲げられた掛止部を備えると共に、この掛止部から下辺縁部に連なる平板部をＴＶ取付部と成し、このＴＶ取付部に少なくともネジ止め孔を備えていることを特徴とする薄型テレビの壁掛け装置にある。
ここで、上記支持部の形成屈曲部に溶接等による補強部を施したり、或いは支持部のプレスによる曲げ加工時に同屈曲部の屈曲方向複数箇所に凹や凸からなる補強リブを施すことが好適なものとなる。また、支持部の両側に一段ほど高い吊持金具の横止め部を備えて、同支持部に掛止される吊持金具の掛止部が地震等に揺れよって横移動しないように防ぐことが好適なものとなる。更に、テレビの背面に取り付けられる吊持金具のテレビ固定部に、テレビから発生する放熱を考慮した通気孔を複数点在させることが好適なものとなる。
【０００８】
そして、本考案では、上記ベース金具の支持部と吊持金具の掛止部との両者又は掛止部側のみに、支持部に対する掛止部の掛止形態を可変するための可変手段を備え、この可変手段によってテレビの吊持傾角を適宜調節し得るようにすることが好適なものとなる（請求項２）。
上記可変手段としては特に限定されるものではないが、例えばベース金具の支持部を室内側に向けて略半円形状に湾曲せしめると共に、その円周方向に傾角調節用の長孔を備える一方で、吊持金具側の掛止部を前記支持部の略半円形状に嵌合掛止せしめた状態で円周方向に摺動するように、壁面側に向けて略半円形状に湾曲せしめると共に、その円周方向要所から前記長孔方向に向けて同長孔から貫通する止めネジを備える。そして、この止めネジを螺合させるためのナット部材を前記支持部の湾曲内側に回転不能に備えて、前記長孔の開口長さ範囲で傾角の調節可変を可能とし、止めネジを締付けることで支持部に対して掛止部を回転不能に定着固定する。
又は、テレビ固定部との間に確保される下向きＵ字状の開口間隔を可変するように、該テレビ固定部と掛止部とに亘り調節ネジを貫通状に備えて、この調節ネジによって前記開口間隔を調節可変することで、ベース金具の支持部に対する掛止部の掛止形態を変えるようにする等が挙げられる。
【考案の効果】
【０００９】
本考案の壁掛け装置は叙上の如く構成してなることから下記の作用効果を奏する。
請求項１記載の構成によれば、上辺縁部側に支持部を備えるベース金具を壁面にネジ止め等によって取り付ける一方で、前記支持部に刑死させる掛止部を上辺縁部側に備える吊持金具をテレビの背面にネジ止め等に取り付けてテレビを壁面に吊持設置し得るようにしていることで、テレビの自重を、テレビに横幅寸法に相当する支持部に対する掛止部の掛止構造にて受け止めることができる。これによって、地震等の揺れに対して安全性の高い吊持構造にてテレビを壁掛け設置することができる。
また、ベース金具と吊持金具の横幅寸法を各メーカーのテレビの大きさに合わせる等の簡単な変更のみにて各メーカーのテレビを壁掛け設置することができる。
しかも、ベース金具と吊持金具とは簡単な曲げ加工と孔明け加工を施した２枚の板材からなるシンプル構造であることから、その加工、製作性が極めて簡単であり、安価で提供することができる。加えて、構造がシンプル故にその取り付け設置作業をも簡単且つ容易に行うことができる。
【００１０】
請求項２記載の構成によれば、請求項１記載の作用に加えて、可変手段によってベース金具の支持部に対する吊持金具の掛止部の掛止形態を可変することで、吊持金具に取り付けられているテレビの指向方向の傾角を任意に調節することができる。つまり、各家庭等におけるライフスタイルに合わせてテレビを確実に正しい指向方向で壁掛け設置することができる。
【考案を実施するための最良の形態】
【００１１】
本考案の最良の実施形態を図１〜図５に基づいて説明する。
【実施例１】
【００１２】
図１は、本考案壁掛け装置の実施形態の一例を示し、装置本体Ａは、板状ベース金具１と、薄型テレビＢの背面に取り付けられて前記ベース金具１に係脱自在に吊持される板状吊持金具２とで構成され、このベース金具１と吊持金具２とによってテレビＢを壁面Ｃに壁掛け設置し得るようにしている。
【００１３】
ベース金具１は、アルミを含む金属製板材や強化プラスチック等の合成樹脂製板材その他の剛性板材によって形成されるので、テレビＢの横幅寸法に相当する程度で正面視略矩形形状に形成されると共に、その上辺縁部側に支持部３を前方（室内側）に向けて折り曲げ備えている。
【００１４】
支持部３は、吊持金具２の後述する掛止部５が係脱自在に掛止されるものであり、図示のように、ベース金具１の上辺縁部側における途中部位から前方に適宜の曲げ幅にて略直角に折り曲げると共に、更に上向き状に折り曲げ立ち上げられた断面略クランク形状に形成されるものである。
そして、この支持部３の上辺縁部の両側を残して同上辺縁部を一段ほど低めに裁断することで、両側に横止め部８を備えて、吊持金具２の掛止部５が地震等の揺れによって横移動しない。つまり、横揺れによって掛止部５が支持部３から抜け外れないようにしている。
【００１５】
尚、この支持部３の高さ寸法幅は、吊持金具２の掛止部５が地震等の揺れによって仮に浮き上がったとしても外れないように考慮することが好適である。
また、図示のように、支持部３の形成屈曲部の全体又は屈曲方向要所に溶接等を施したり、或いは支持部３のプレスによる曲げ加工時に屈曲方向要所に凹や凸からなる補強リブ等からなる補強部９を施すことで、屈曲部の耐強度を増強せしめることが好適なものとなる。つまり、支持部３にテレビＢの耐荷重や地震等の揺れに対する剛性力を付与せしめることが好適となる。
更に、支持部３の両側に備える横止め部８の間隔寸法を、後述する吊持金具２の横幅寸法よりも広めとして、該吊持金具２の掛止部５を掛止させた状態において、該掛止部５の両縁と横止め部８との間に遊び空間が存在するようにすることで、メーカーのテレビに応じてその中心部をベース金具１の横幅中心部に対して自由に移動位置させることができる。
【００１６】
そして、支持部３から下辺縁部に連なる平板部を壁面Ｃにネジ10止め等の止め手段を用いて取り付ける壁取付部４と成し、この壁取付部４に適宜の間隔をおいて縦横方向に並ぶように複数のネジ止め孔11を開口することで、壁面Ｃ内部の柱や間柱等の建物構造材に対して確実にネジ10止めせしめた地震等の揺れによって脱落する恐れがない強固な状態でベース金具１を壁面Ｃに設置することができるようにしている。
【００１７】
吊持金具２は、テレビＢの背面に取り付けられて同テレビＢをベース金具１に係脱自在に吊持する役目を成すもので、ベース金具１と同じ板材によって図示のように、ベース金具１の支持部３の長さに相当する。つまり、両側の横止め部８間に収まる程度の長さに相当する横幅寸法を有する正面視略矩形形状に形成されると共に、その上辺縁部側に掛止部５を備えている。
【００１８】
掛止部５は、吊持金具２の上辺縁部側に、その上辺縁部から適宜の曲げ幅寸法をおいて背面側に向けて尚且つ下向きＵ字状に折り曲げ形成されて、ベース金具１の支持部３に係脱自在に引っ掛けられるようにしている。
尚、この掛止部５の下向き幅は、前述したように地震等の揺れ等によって支持部３から外れない被り深さに該支持部３に掛止されるようにすることが好適である。
【００１９】
また、吊持金具２の前述掛止部５から下辺縁部に向けて連なる平面部がＴＶ取付部６となり、このＴＶ取付部６をテレビＢの背面にネジ12止め等の取付手段によって取り付けるようにしている。
そして、このＴＶ取付部６にはネジ止め孔13が開口されていると共に、テレビＢ背面から発生する放熱を考慮した通気孔14が適宜の間隔をおいて略碁盤目状に複数開口されている。
【００２０】
次に、以上の如く構成された本例装置本体Ａによる薄型テレビＢの壁面Ｃへの取り付け方について簡単に説明する。
先ず始めに、テレビＢを設置する壁面Ｃの高さ位置にベース金具１の壁取付部４を、何れか数ヵ所のネジ止め孔11を使用して木ネジ等によるネジ10止めを行い同壁面Ｃにベース金具１を設置する。次に、吊持金具２のＴＶ取付部６をテレビＢの背面に四隅のネジ止め孔13を使用してネジとナットとの組合せやネジ単体によるネジ12止めによって取り付けて、テレビＢの背面に吊持金具２を取り付ける。
【００２１】
そして、以上の段取り（準備）ができたところで、吊持金具２の掛止部５をベース金具１の両側の横止め部８間における支持部３に掛止させる。これにより、壁面Ｃに対するテレビＢの壁掛け設置が完了となる。この際、テレビＢの指向方向（矢印方向Ｘ）は壁面Ｃと平行にならずに、テレビＢ自重によって僅かに斜め下向きの傾角となる。
【実施例２】
【００２２】
図３は、本考案壁掛け装置の他の実施形態を示し、斯かる実施例２はテレビの指向方向を強制的に調節可変するための可変手段７を実施例１詳述の吊持金具２の掛止部５とＴＶ取付部６とに亘り備えている。
斯かる実施例２は可変手段７を備え、尚且つ、該可変手段７との干渉を防ぐ凹欠部15をベース金具１の支持部３の両側に備えている以外の構成においては実施例１詳述と基本的に同じであることから同じ構成部分に同じ符号を用いることで重複説明は省略する。
【００２３】
尚、斯かる実施例２においては図示のように、ＴＶ取付部６との曲げ連設部から下向き開口に向けて漸次拡開するように掛止部５を下向き略Ｖ字状に折り曲げ形成することが望ましい。
【００２４】
可変手段７は、図示のように、掛止部５の両側においてＴＶ取付部６に亘り備えられるものであり、平坦又は皿状の頭部を有するネジ16とナット17とからなり、ＴＶ取付部６と掛止部５とに同芯状に開口したネジ孔18に亘り、ＴＶ取付部６側からネジ16を挿通させると共に、掛止部５側においてナット17を螺合せしめることで、ＴＶ取付部６と掛止部５とに亘り、ＴＶ取付部６に対する該掛止部５の下向き開口幅がネジ16の締付けによって調節可変し得るようにしている。
【００２５】
尚、可変手段７の挟持金具２に対する装着個数は２ヶ所に限らず、掛止部５方向に適宜の間隔をおいた複数ヶ所に備えるも良く、任意である。この場合、この可変手段７に装着位置に合わせてベース金具１の支持部３側にも干渉を防ぐ凹欠部15を設けるものである。
【００２６】
而して、ネジ16の締付け量によって掛止部５の下向き開口幅を調節可変せしめることで、図示のように、ベース金具１の支持部３に対する掛止部５の掛止形態が可変せしめられることとなり、これによって、吊持金具３のＴＶ取付部６に取り付けられているテレビＢの指向方向（矢印方向Ｘ）の傾角を適宜に調節することができる。
即ち、各家庭等におけるライフスタイルに合わせてテレビＢを確実に正しい指向方向で壁掛け設置することができる。
【実施例３】
【００２７】
図４は、本考案壁掛け装置の他の実施形態を示す。斯かる実施例３は実施例２詳述のテレビＢの指向方向（矢印方向Ｘ）の傾角を調節する他の実施形態であり、傾角の可変手段7-1を、吊持金具２の掛止部5-1とベース金具１の支持部3-1との両者に亘り備えることで、テレビＢの指向方向（矢印方向Ｘ）の傾角を調節可変し得るようにしている。
【００２８】
斯かる実施例３においては、図示のように、ベース金具１の支持部3-1の上辺縁部を室内側に向けて略半円形状に湾曲せしめると共に、その円周方向に傾角調節用の長孔19を備える。
一方、吊持金具２側の掛止部5-1を前記支持部3-1の略半円形状に嵌合掛止せしめた状態で円周方向に摺動するように、壁面Ｃ側に向けて略半円形状に湾曲せしめると共に、その円周方向要所から前記長孔19方向に向けて同長孔19から貫通する調節ネジ20を備える。
【００２９】
そして、この調節ネジ20を掛止部5-1から支持部3-1に亘り貫通せしめた状態で螺合連結する略湾曲形状のナット部材21を、図示のように前記支持部3-1の湾曲内側に回転不能に備えることによって、前記長孔19の開口長さ範囲で傾角の調節を可能と成し、調節ネジ20を締付けることで支持部3-1に対して掛止部5-1を回転不能に定着固定する。つまり、テレビＢの指向方向の傾角が固定維持されるようにする。
【００３０】
この様に、可変手段7-1を構成することで、例えばライフスタイルを変えた場合におけるテレビＢの指向方向の傾角を、壁面ＣとテレビＢとの間に上方からドライバー等の工具を差し入れて調節ネジ20を緩めることで、その傾角を簡単に調節可変することができる使用上（取扱い性）の向上が図れる等の実用的効果が得られる。
また、支持部3-1を略半円形状に湾曲せしめてなることで、同支持部3-1の曲げ強度や耐荷重強度等の耐強度を増強せしめることができる
【００３１】
尚、図示を省略しているが、掛止部5-1側に前述の長孔19を開口し、支持部3-1側には調節ネジ20を螺合連結するための雌ネジを直接備えた構造の可変手段7-1とするも良い。この場合、掛止部5-1の湾曲外側に略湾曲形状のスペーサ部材を介在することで、調節ネジ20の頭部が長孔19に直接触れないようにすると共に、掛止部5-1を支持部3-1とによってサンドイッチ構造、つまり、スペーサ部材と支持部3-1とによる挾着構造によりテレビＢの指向方向の傾角が固定維持されるようにしている。
【実施例４】
【００３２】
図４は、本考案壁掛け装置の他の実施形態を示し、斯かる実施例４は前述実施例１〜実施例３におけるベース金具１、吊持金具２の夫々の横幅寸法を、例えば20インチ〜40インチの各テレビＢの横幅寸法やメーカーによって異なる同横幅寸法に合わせてスライド方式にて適宜調節変更し得るように形成している。
尚、斯かる実施例４においてスライド方式によりベース金具と吊持金具の横幅寸法を可変し得るようにした以外の構成部分において例えば実施例１詳述と基本的に同じことから同じ構成部分に同じ符号を用いることで重複説明は省略する。
【００３３】
尚、図示を省略しているが、実施例１〜実施例２詳述において、支持部３に対して掛止部５を掛止させた後に、該掛止部５が地震等の揺れによって浮き上がり、支持部３から外れないように、脱落防止手段等を支持部３側又は掛止部５側或いは双方に備えると良い。
また、本考案の具体的な実施形態にあっては、実施例１〜実施例４詳述の構成形態に限定されるものではなく、請求項１及び２記載の要旨を免脱しない範囲で種々変更して行うことができるものである。
【図面の簡単な説明】
【００３４】
【図１】本発明壁掛け装置の実施形態の一例を示す斜視図
【図２】同壁掛け装置によって薄型テレビを壁掛け設置した状態を示す要部の縦断拡大図
【図３】本発明壁掛け装置の他の実施形態を示し、（ａ）は吊持金具の要部を示す正面図、（ｂ）は同壁掛け装置によって薄型テレビを壁掛け設置した状態を示す要部の縦断拡大図
【図４】本発明壁掛け装置の他の実施形態を示し、（ａ）は壁面と略平行な状態で壁掛け設置した状態を示す要部の縦断拡大図、（ｂ）は薄型テレビの指向方向（矢印方向Ｘ）の傾角に可変せしめた状態の同縦断拡大図
【図５】本発明壁掛け装置の他の実施形態を示すベース金具と吊持金具の正面図
【符号の説明】
【００３５】
Ａ：装置本体        １：ベース金具
２：吊持金具    ３,3-1：支持部
４：壁取付部    ５,5-1：掛止部
６：ＴＶ取付部  ７,7-1：可変手段
８：横止め部        ９：補強リブ
15：凹欠部         16：ネジ
17：ナット         18：ネジ孔
19：長孔           20：調節ネジ
21：ナット部材
【図１】
0003110700.tif 000003
【図２】
0003110700.tif 000004
【図３】
0003110700.tif 000005
【図４】
0003110700.tif 000006
【図５】
0003110700.tif 000007